(57)【特許請求の範囲】
【請求項１】
ハウジングに固定された文字盤と、該文字盤の文字表示領域を縁取る額縁部と、前記文字盤の文字に対応して前記額縁部に配置された目盛と、前記文字盤を背後から照明する光源と、を備え、
前記額縁部は前記光源からの光を透過不能に形成され、前記目盛は前記光源からの光を透過可能に形成されてなる計器装置であって、
前記目盛の背後に所定間隔を置いて配置された、特定色光のみを透過するカラーフィルタと、
前記カラーフィルタの背後に配置された光反射部材と、を備え、
前記光源は、前記カラーフィルタの背後から外れた位置に配置されていることを特徴とする計器装置。
【請求項２】
前記光反射部材は、前記カラーフィルタの背後に所定間隔を置いて配置されていることを特徴とする請求項１に記載の計器装置。
【請求項３】
前記額縁部は、メタリック色であり、
前記目盛は、透明材料で構成されることを特徴とする請求項１または請求項２に記載の計器装置。
【発明の詳細な説明】
【技術分野】
【０００１】
本発明は、計器装置に関するものである。
【背景技術】
【０００２】
車両のインスツルメントパネルには、スピードメータやタコメータ等を備えた計器装置が配置されている。
図１は計器装置の正面図である。計器装置１１０は文字盤２０と、文字盤２０の文字表示領域２１を縁取る額縁部３０とを備えている。文字盤２０が暗色であるのに対して、額縁部３０はシルバーメタリック色など反射性の高い色を呈している。また額縁部３０には、文字盤２０の文字２４に対応した目盛４２が配置されている。
図３は従来技術に係る計器装置の説明図であり、図１のＡ−Ａ線に相当する部分における断面図である。図３に示すように、計器装置１１０は、文字盤２０を背後から照明する光源１８を備えている。なお目盛４２は透明材料で形成されている。
【０００３】
特許文献１では、透明目盛と重なるように着色層を設けて、目盛が所定色に視認されるようにしている。
図３に示す計器装置では、目盛４２が白色に視認されると、シルバーメタリックの額縁部３０の中で目立たなくなる。そこで目盛４２の背面と密着するように、例えば青色光を透過するカラーフィルタ（青色の着色層）５２が設けられている。これにより、目盛が青色に視認されて、シルバーメタリックの額縁部３０の中でも目立つようになる。
【特許文献１】特開２００３−１０６８７３号公報
【発明の開示】
【発明が解決しようとする課題】
【０００４】
しかしながら、図３に示す計器装置では、目盛４２の背面と密着するようにカラーフィルタ５２が設けられているので、外光の強弱にかかわらず、目盛４２は青色に視認されることになる。すなわち、昼間と夜間とで目盛４２の色調を変えることができない。車両の商品性を向上させるため、外光の強弱に応じて目盛４２の色調を変えることが可能な計器装置の開発が望まれている。
そこで本発明は、外光の強弱に応じて目盛の色調を変えることが可能な計器装置の提供を課題とする。
【課題を解決するための手段】
【０００５】
上記課題を解決するために、請求項１に係る発明は、ハウジング（例えば、実施形態におけるハウジング６０）に固定された文字盤（例えば、実施形態における文字盤２０）と、該文字盤の文字表示領域（例えば、実施形態における文字表示領域２１）を縁取る額縁部（例えば、実施形態における額縁部３０）と、前記文字盤の文字（例えば、実施形態における文字２４）に対応して前記額縁部に配置された目盛（例えば、実施形態における目盛４２）と、前記文字盤を背後から照明する光源（例えば、実施形態における光源１８）と、を備え、前記額縁部は前記光源からの光を透過不能に形成され、前記目盛は前記光源からの光を透過可能に形成されてなる計器装置（例えば、実施形態における計器装置１０）であって、前記目盛の背後に所定間隔を置いて配置された特定色光のみを透過するカラーフィルタ（例えば、実施形態におけるカラーフィルタ５２）と、前記カラーフィルタの背後に配置された光反射部材（例えば、実施形態における光反射部材６２）と、を備え、前記光源は、前記カラーフィルタの背後から外れた位置に配置されていることを特徴とする。
【０００６】
請求項２に係る発明は、前記光反射部材は、前記カラーフィルタの背後に所定間隔を置いて配置されていることを特徴とする。
【０００７】
請求項３に係る発明は、前記額縁部は、メタリック色であり、前記目盛は、透明材料で構成されることを特徴とする。
【発明の効果】
【０００８】
請求項１に係る発明によれば、カラーフィルタと目盛との間に空間が形成されているので、光源光の一部は、カラーフィルタを透過することなくそのまま外部に出射する。したがって、外光が弱く光源光が支配的な夜間では、目盛を主に光源光色に視認させることができる。また、目盛に入射した外光の多くはカラーフィルタを透過するため特定色光のみが外部に出射する。したがって、光源光が弱く外光が支配的な昼間では、目盛を主に特定色に視認させることができる。その結果、外光の強弱により目盛の色調を変化させることが可能になり、計器装置の商品性を向上させることができる。
また、昼間において目盛を特定色に視認させることができるので、額縁部３０の中でも目盛を目立たせることができる。
特に、光源がカラーフィルタの背後から外れた位置に配置されているので、光源光の多くがカラーフィルタを透過することなくそのまま外部に出射することになる。その結果、外光の強弱により目盛の色調を大きく変化させることが可能になり、計器装置の商品性を向上させることができる。
【０００９】
請求項２に係る発明によれば、カラーフィルタと反射部材との間に空間が形成されているので、光源光の一部は、光反射部材で反射され、特定色光のみがカラーフィルタを透過する。したがって、光源光が支配的な夜間では、光源色光に加えて特定色光が外部に出射することになり、目盛を光源光色と特定色との混合色に視認させることができる。これにより、計器装置の商品性を向上させることができる。
【００１０】
請求項３に係る発明によれば、昼間において目盛を特定色に視認させることができるので、メタリック色の額縁部の中でも、目盛を目立たせることができる。
【発明を実施するための最良の形態】
【００１１】
以下、本発明の実施形態につき図面を参照して説明する。
図１は、計器装置の正面図である。計器装置１０には、スピードメータやタコメータ等の各種メータ８が設けられている。メータ８は、文字盤２０に表示された指標となる文字（数字）２４と、指標を指し示す指針１５とを備えている。指針１５は、その一方端部を中心として他方端部が回動するようになっている。指針１５の他方端部の回動軌跡に沿って、複数の文字２４が文字盤２０に表示されている。これにより、メータ８の周縁部に文字表示領域２１が形成されている。
【００１２】
メータ８の文字表示領域２１の周囲を縁取るように、リング状の額縁部３０が設けられている。文字盤２０の下地が黒色等の暗色であるのに対して、額縁部３０はシルバーメタリック等の明色を呈している。これにより、運転者が計器装置１０に視線を移したときに、メータ８の位置を瞬時に把握しうるようになっている。
文字２４の表示位置の外側に、目盛４２が設けられている。目盛４２の大部分は、額縁部３０の内側に配置されている。
【００１３】
図２は本実施形態に係る計器装置の説明図であり、図１のＡ−Ａ線における断面図である。図２に示すように、文字盤２０は、ハウジング６０に固定されている。ハウジング６０は、メータ８の形成領域に椀状陥没部６１を備えている。椀状陥没部６１の中央底部には、文字盤２０を背後から照明する光源１８が設けられている。光源１８は、白色の発光ダイオード（ＬＥＤ）等で構成されている。
【００１４】
文字盤２０は、メータ８の中央部より周縁部の文字表示領域２１が一段高く形成されている。その文字表示領域２１の表面周縁部には、額縁部３０が設けられている。額縁部３０は内周縁部から外周縁部にかけて厚肉となり、その表面はテーパ状に形成されている。
【００１５】
文字盤２０の背後には、目盛形成部材４０が設けられている。目盛形成部材４０は、透明樹脂等の光透過性材料により円盤状に形成されている。目盛形成部材４０は、メータ８の中央部および額縁部３０の背後において文字盤２０に当接し、文字表示領域２１の背後はテーパ状に形成されている。額縁部３０の背後では、目盛形成部材４０から目盛４２が立設されている。目盛４２の先端は、文字盤２０および額縁部３０を貫通し、額縁部３０の表面から突出している。
【００１６】
目盛形成部材４０の背後には、フィルタ部材５０が設けられている。フィルタ部材５０は円盤状に形成され、文字表示領域２１の背後に配置された透明部５４と、額縁部３０の背後に配置されたカラーフィルタ５２とを備えている。カラーフィルタ５２は、特定色光（例えば青色光）のみを透過させるものであり、目盛４２の背後に所定間隔ｄ（例えば３〜５ｍｍ程度）を置いて配置されている。
【００１７】
フィルタ部材５０の背後には、ハウジング６０の椀状陥没部６１が配置されている。ハウジング６０は白色の樹脂材料等で構成されているので、椀状陥没部６１は光反射部材（リフレクタ）６２として機能する。すなわち、カラーフィルタ５２の背後に所定距離を置いて光反射部材６２が配置されている。なお椀状陥没部６１の表面に金属膜等の光反射材料をコーティングすることにより、光反射部材６２を形成してもよい。
【００１８】
（作用）
次に、本実施形態に係る計器装置の作用について説明する。
昼間には、太陽光等の強い外光９２が目盛４２に入射する。この外光９２は、光反射部材６２で反射され、カラーフィルタ５２および目盛４２を透過して外部に出射する。この出射光は、カラーフィルタ５２を透過しているので特定色光となる。これにより車両の搭乗者は、目盛４２を特定色として視認することになる。なお、昼間でも白色光源１８を点灯しているが、外光９２が支配的であるため、目盛４２は特定色に視認される。これにより、シルバーメタリック色の額縁部３０の中で、特定色の目盛４２を目立たせることができる。
【００１９】
夜間でも、弱い外光が目盛４２に入射する。ところが、目盛４２から所定間隔を置いてカラーフィルタ５２が配置されているので、外光はカラーフィルタ５２に届き難くなる。一方、カラーフィルタ５２と目盛４２との間に空間が設けられているので、白色光源１８から出射された光源光の一部９６は、カラーフィルタ５２を透過することなく目盛４２を透過して外部に出射する。この出射光は、カラーフィルタ５２を透過していないので白色光となる。なお、カラーフィルタ５２の背後から外れた位置に光源１８が配置されているので、光源光の多くがカラーフィルタ５２を透過することなく出射されることになる。
【００２０】
また、カラーフィルタ５２から所定間隔を置いて光反射部材６２が配置されているので、光源光の一部９４は、光反射部材６２で反射され、カラーフィルタ５２および目盛４２を透過して外部に出射する。この出射光は、カラーフィルタ５２を透過しているので特定色光となる。以上により車両の搭乗者は、目盛４２を白色と特定色との混合色として視認することになる。なお夜間では、額縁部３０が視認し難くなっているので、目盛４２は光っているだけで（何色であっても）目立つことになる。
【００２１】
なお、文字盤２０における文字２４の部分は光透過性を有している。そのため外光および光源光が、光反射部材６２で反射され、フィルタ部材５０の透明部５４、目盛形成部材４０および文字２４を透過して外部に出射する。これにより車両の搭乗者は、昼夜を問わず文字２４を白色に視認することができる。
【００２２】
以上に詳述したように、本実施形態に係る計器装置１０は、目盛４２の背後に所定間隔を置いて配置された特定色光のみを透過するカラーフィルタ５２と、カラーフィルタ５２の背後に配置された光反射部材６２と、を備える構成とした。
カラーフィルタ５２と目盛４２との間に空間が形成されているので、光源光の一部は、カラーフィルタ５２を透過することなく白色光のまま外部に出射する。したがって、外光が弱く光源光が支配的な夜間では、目盛４２を主に白色に視認させることができる。また、目盛４２に入射した外光の多くはカラーフィルタ５２を透過するため特定色光のみが外部に出射する。したがって、光源光が弱く外光が支配的な昼間では、目盛４２を主に特定色に視認させることができる。その結果、外光の強弱により目盛４２の色調を変化させることが可能になり、計器装置１０の商品性を向上させることができる。
また、昼間において目盛４２を特定色に視認させることができるので、シルバーメタリック色の額縁部３０の中でも、目盛４２を目立たせることができる。
【００２３】
また、光反射部材６２がカラーフィルタ５２の背後に所定間隔を置いて配置されている構成とした。カラーフィルタ５２と光反射部材６２との間に空間が形成されているので、光源光の一部は、光反射部材６２で反射され、カラーフィルタ５２を透過して特定色光のみが外部に出射する。したがって、光源光が支配的な夜間では、目盛４２を白色と特定色との混合色に視認させることができる。これにより、計器装置１０の商品性を向上させることができる。
【００２４】
また、光源１８がカラーフィルタ５２の背後から外れた位置に配置されている構成とした。この構成によれば、光源光の多くがカラーフィルタを透過することなく白色光のまま外部に出射することになる。その結果、外光の強弱により目盛４２の色調を大きく変化させることが可能になり、計器装置１０の商品性を向上させることができる。
【００２５】
なお、この発明は上述した実施形態に限られるものではない。
例えば、実施形態では光源１８として白色光を発光するものを採用したが、他の色光を発光するものを採用することも可能である。また、実施形態では目盛４２を透明材料（全色光透過材料）で構成したが、目盛４２を特定色光透過材料（カラーフィルタ）で構成することも可能である。
【図面の簡単な説明】
【００２６】
【図１】計器装置の正面図である。
【図２】実施形態に係る計器装置の説明図であり、図１のＡ−Ａ線における断面図である。
【図３】従来技術に係る計器装置の説明図であり、図１のＡ−Ａ線に相当する部分における断面図である。
【符号の説明】
【００２７】
１０…計器装置  １８…光源  ２０…文字盤  ２１…文字表示領域  ２４…文字  ３０…額縁部  ４２…目盛  ５２…カラーフィルタ  ６０…ハウジング  ６２…光反射部材
【図１】
0004383469.tif 000002
【図２】
0004383469.tif 000003
【図３】
0004383469.tif 000004